(57)【要約】【課題】撮像機器に不慣れなユーザが撮像するとき、シャッター速度を正確に決定することができなかった。【解決手段】シャッターと、手ぶれ量信号をサンプリングするサンプリング回路と、手ぶれ量信号をプレサンプリングすることにより、手ぶれ量信号の周波数を予測するプレサンプリング回路と、を含み、プレサンプリング回路は、手ぶれ量信号のプレサンプリングを、予め定められたプレサンプリング周波数で、かつ、サンプリング回路がサンプリングを行う期間より短い期間行い、サンプリング回路は、手ぶれ量信号のサンプリングを、プレサンプリング回路により予測された手ぶれ量信号の周波数により規定される、プレサンプリング周波数より低い周波数であるサンプリング周波数で行う。【選択図】図２
2009003216.tif 000002
【特許請求の範囲】
【請求項１】
撮像のための露光を行うシャッターと、
前記撮像のときに生じる手ぶれの量であって前記シャッターの速度を決定するための拠所となる前記手ぶれの量を表す手ぶれ量信号から当該手ぶれの量を抽出すべく、前記手ぶれ量信号をサンプリングするサンプリング回路と、
前記サンプリング回路による前記サンプリングに先立ち、前記手ぶれ量信号をプレサンプリングすることにより、前記手ぶれ量信号の周波数を予測するプレサンプリング回路と、を含み、
前記プレサンプリング回路は、前記手ぶれ量信号の前記プレサンプリングを、予め定められたプレサンプリング周波数で、かつ、前記サンプリング回路が前記サンプリングを行う期間より短い期間行い、
前記サンプリング回路は、前記手ぶれ量信号の前記サンプリングを、前記プレサンプリング回路により予測された前記手ぶれ量信号の周波数により規定される、前記プレサンプリング周波数より低い周波数であるサンプリング周波数で行うことを特徴とする手ぶれ防止装置。
【請求項２】
前記プレサンプリング回路は、前記プレサンプリング周波数を、前記プレサンプリングを行う前に決定することを特徴とする請求項１記載の手ぶれ防止装置。
【請求項３】
前記プレサンプリング回路は、前記プレサンプリング周波数として、前記プレサンプリングに先立ち行った以前のプレサンプリングのときに用いたプレサンプリング周波数を用いることを特徴とする請求項１記載の手ぶれ防止装置。
【請求項４】
前記プレサンプリング回路は、前記プレサンプリング周波数として、複数のプレサンプリング周波数の候補を昇順に用いることを特徴とする請求項１記載の手ぶれ防止装置。
【請求項５】
更に、前記シャッターによる前記露光に先立ち、前記撮像の準備を行うためのレリーズを含み、
前記プレサンプリング回路は、前記プレサンプリングを、前記レリーズが操作された以後に行うことを特徴とする請求項１記載の手ぶれ防止装置。
【請求項６】
前記プレサンプリング回路は、前記プレサンプリングを、前記シャッターが操作された以後に行うことを特徴とする請求項５記載の手ぶれ防止装置。
【請求項７】
前記プレサンプリング回路は、前記プレサンプリングを、前記撮像のための半押し動作以後に行うことを特徴とする請求項１記載の手ぶれ防止装置。
【請求項８】
前記プレサンプリング回路は、前記プレサンプリングを、前記撮像のための全押し動作以後に行うことを特徴とする請求項１記載の手ぶれ防止装置。
【請求項９】
請求項１〜請求項８記載の手ぶれ防止装置と、
当該手ぶれ防止装置により抽出された前記手ぶれの量により規定される前記シャッターの速度により前記撮像を行う撮像装置と、を有することを特徴とする撮像機器。
【請求項１０】
撮像のときに生じる手ぶれの量であって露光時間を決定するための拠所となる前記手ぶれの量を表す手ぶれ量信号から当該手ぶれの量を抽出すべく、前記手ぶれ量信号をサンプリングするサンプリング工程と、
前記サンプリング工程による前記サンプリングに先立ち、前記手ぶれ量信号をプレサンプリングすることにより、前記手ぶれ量信号の周波数を予測するプレサンプリング工程と、を含み、
前記プレサンプリング工程は、前記手ぶれ量信号の前記プレサンプリングを、予め定められたプレサンプリング周波数で、かつ、前記サンプリング回路が前記サンプリングを行う期間より短い期間行い、
前記サンプリング工程は、前記手ぶれ量信号の前記サンプリングを、前記プレサンプリング工程により予測された前記手ぶれ量信号の周波数により規定される、前記プレサンプリング周波数より低い周波数であるサンプリング周波数で行うことを特徴とする手ぶれ防止方法。
【発明の詳細な説明】
【技術分野】
【０００１】
本発明は、デジタルカメラ及びカメラ付き携帯電話のような撮像機器を用いて被写体を撮影するときに生じる手ぶれによる悪影響を事前に抑制する機能を備える手ぶれ防止装置、当該手ぶれ防止装置に用いられる手ぶれ防止方法、及び、前記手ぶれ防止装置を含む撮像機器に関する。
【背景技術】
【０００２】
従来の撮像機器における手ぶれ防止装置では、下記の特許文献１及び特許文献２に記載されているように、撮像のときに生じる手ぶれの量（正確には、手ぶれの角速度及び手ぶれの周波数。以下「手ぶれ量」と略称する。）を表す手ぶれ量信号から当該手ぶれ量を抽出すべく、当該手ぶれ量信号を、予め定められた周波数であるサンプリング周波数でサンプリングする。
【０００３】
一般に、前記撮像機器の取り扱いに慣れているユーザは、前記手ぶれ量が小さく、対照的に、前記撮像機器の取り扱いに不慣れであるユーザは、前記手ぶれ量が大きい。それにも拘わらず、前記従来の手ぶれ防止装置では、前記サンプリング周波数が固定されていた。そのために、前記従来の手ぶれ防止装置は、前者のユーザの場合には、より正確には、当該ユーザが撮像するときに生じる手ぶれ量信号の周波数が、前記サンプリング周波数に比して充分に小さい場合には、図８（Ａ）に示されるように、手ぶれ量信号Ｓｔｂ１００のサンプリングを的確に行うことができる。換言すれば、手ぶれ量信号Ｓｔｂ１００の波形を極めて良く代表する手ぶれ量ｔｂ１００、ｔｂ１０１、ｔｂ１０２、．．．を得ることができる。これにより、従来の手ぶれ防止装置は、前記得られた手ぶれ量ｔｂ１００、ｔｂ１０１、ｔｂ１０２、．．．に基づき、露光時間を、即ち、シャッター速度（シャッタースピード）を正確に決定することができる。
【０００４】
【特許文献１】特開平８−３２０５１１号公報
【特許文献２】特開平５−１０７６２２号公報
【発明の開示】
【発明が解決しようとする課題】
【０００５】
しかしながら、後者のユーザの場合には、より正確には、当該ユーザが撮像するときに生じる手ぶれ量信号の周波数が、前記サンプリング周波数に比して大きい場合又は極めて大きい場合には、図８（Ｂ）に示されるように、手ぶれ量信号Ｓｔｂ２００のサンプリングを的確に行うことができない。換言すれば、手ぶれ量信号Ｓｔｂ２００の波形を再現性よく代表することができない手ぶれ量ｔｂ２００、ｔｂ２０１、ｔｂ２０２、．．．を得ることができるに過ぎない。これにより、前記従来の手ぶれ防止装置は、前記得られた手ぶれ量ｔｂ２００、ｔｂ２０１、ｔｂ２０２、．．．に基づいては、前記露光時間、即ち、シャッター速度を正確に決定することができないという問題があった。
【課題を解決するための手段】
【０００６】
本発明に係る手ぶれ防止装置、手ぶれ防止方法、及び撮像機器は、以下の適用例により実現される。
【０００７】
［適用例１］
手ぶれ防止装置は、
撮像のための露光を行うシャッターと、
前記撮像のときに生じる手ぶれの量であって前記シャッターの速度を決定するための拠所となる前記手ぶれの量を表す手ぶれ量信号から当該手ぶれの量を抽出すべく、前記手ぶれ量信号をサンプリングするサンプリング回路と、
前記サンプリング回路による前記サンプリングに先立ち、前記手ぶれ量信号をプレサンプリングすることにより、前記手ぶれ量信号の周波数を予測するプレサンプリング回路と、を含み、
前記プレサンプリング回路は、前記手ぶれ量信号の前記プレサンプリングを、予め定められたプレサンプリング周波数で、かつ、前記サンプリング回路が前記サンプリングを行う期間より短い期間行い、
前記サンプリング回路は、前記手ぶれ量信号の前記サンプリングを、前記プレサンプリング回路により予測された前記手ぶれ量信号の周波数により規定される、前記プレサンプリング周波数より低い周波数であるサンプリング周波数で行う。
【０００８】
前記手ぶれ防止装置によれば、前記プレサンプリング回路は、前記サンプリング回路による前記サンプリングに先立ち、当該サンプリングの期間より短い期間に、前記予め定められた、前記サンプリング周波数より高いプレサンプリング周波数で前記手ぶれ量信号をプレサンプリングすることにより、前記手ぶれ量信号の周波数を予測し、前記サンプリング回路は、前記予測された前記手ぶれ量信号の周波数により規定される前記サンプリング周波数で前記手ぶれ量信号をサンプリングする。これにより、前記サンプリング周波数が、前記手ぶれ量信号のサンプリングを行うのに充分な大きさの周波数となり、前記手ぶれ量信号から、当該手ぶれ量信号をよく代表する、即ち、当該手ぶれ量信号の再現性が良い手ぶれ量を抽出することができる。この結果、従来の手ぶれ防止装置と異なり、ユーザが撮像の操作に慣れているか慣れていないかに拘わらず、露光時間（シャッター速度）を正確に決定することが可能となる。
【０００９】
前記手ぶれ防止装置によれば、また、前記プレサンプリング周波数が、前記サンプリング周波数より大きいものの、前記プレサンプリングを行う期間が、前記サンプリングを行う期間より短いために、前記プレサンプリングの実施に伴う消費電力を抑制することが可能となる。
【００１０】
［適用例２］
前記プレサンプリング回路は、前記プレサンプリング周波数を、前記プレサンプリングを行う前に決定する。
【００１１】
［適用例３］
前記プレサンプリング回路は、前記プレサンプリング周波数として、前記プレサンプリングに先立ち行った以前のプレサンプリングのときに用いたプレサンプリング周波数を用いる。
【００１２】
［適用例４］
前記プレサンプリング回路は、前記プレサンプリング周波数として、複数のプレサンプリング周波数の候補を昇順に用いる。
【００１３】
［適用例５］
更に、前記シャッターによる前記露光に先立ち、前記撮像の準備を行うためのレリーズを含み、
前記プレサンプリング回路は、前記プレサンプリングを、前記レリーズが操作された以後に行う。
【００１４】
［適用例６］
前記プレサンプリング回路は、前記プレサンプリングを、前記シャッターが操作された以後に行う。
【００１５】
［適用例７］
前記プレサンプリング回路は、前記プレサンプリングを、前記撮像のための半押し動作以後に行う。
【００１６】
［適用例８］
前記プレサンプリング回路は、前記プレサンプリングを、前記撮像のための全押し動作以後に行う。
【００１７】
［適用例９］
撮像機器は、前記手ぶれ防止装置と、
当該手ぶれ防止装置により抽出された前記手ぶれの量により規定される前記シャッターの速度により前記撮像を行う撮像装置と、を有する。
【００１８】
［適用例１０］
手ぶれ防止方法は、
撮像のときに生じる手ぶれの量であって露光時間を決定するための拠所となる前記手ぶれの量を表す手ぶれ量信号から当該手ぶれの量を抽出すべく、前記手ぶれ量信号をサンプリングするサンプリング工程と、
前記サンプリング工程による前記サンプリングに先立ち、前記手ぶれ量信号をプレサンプリングすることにより、前記手ぶれ量信号の周波数を予測するプレサンプリング工程と、を含み、
前記プレサンプリング工程は、前記手ぶれ量信号の前記プレサンプリングを、予め定められたプレサンプリング周波数で、かつ、前記サンプリング回路が前記サンプリングを行う期間より短い期間行い、
前記サンプリング工程は、前記手ぶれ量信号の前記サンプリングを、前記プレサンプリング工程により予測された前記手ぶれ量信号の周波数により規定される、前記プレサンプリング周波数より低い周波数であるサンプリング周波数で行う。
【発明を実施するための最良の形態】
【００１９】
《実施例》
手ぶれ防止装置の実施例について図面を参照して説明する。
【００２０】
〈構成〉
図１は、手ぶれ防止装置を含む撮像機器の実施例の外部構成を示し、また、図２は、実施例の撮像機器の内部構成を示す。
【００２１】
実施例の撮像機器ＤＣは、図１に示されるように、デジタルカメラであり、外部構成として、カメラ本体Ｂと、ファインダーＦと、レンズＬと、レリーズＲと、シャッターＳとを含む。これらのカメラ本体Ｂ、ファインダーＦ、レンズＬ、レリーズＲ、及びシャッターＳは、それぞれ、従来知られたと同様な構造及び機能を有し、例えば、レリーズＲは、いわゆる「半押し」の機能を備え、また、シャッターＳは、いわゆる「全押し」の機能を備える。
【００２２】
実施例の撮像機器ＤＣは、また、図２に示されるように、内部構成として、撮影のときに生じる手ぶれ量ｔｂ（例えば、図５に図示された、手ぶれ量ｔｂ１（１）、ｔｂ１（２）、．．．、ｔｂ２（１）、ｔｂ２（２）、．．．）が当該撮影した画像に悪影響を及ぼすことを低減すべく、手ぶれ防止装置１と、前記撮影を行う撮像装置２とを含み、更に、手ぶれ防止装置１は、制御回路１０と、記憶回路２０と、手ぶれ検出回路３０と、プレサンプリング回路４０と、サンプリング回路５０とを有する。
【００２３】
ここで、「撮像」とは、露光すること、即ち、シャッターＳを開閉することにより被写体を撮影するという狭義の意味だけを有するのではなく、被写体をファインダーＦでモニターしながらレリーズＲを操作（「半押し」）することにより当該被写体のピント合わせを行うことから始まり、シャッターＳを操作（「全押し」）することを経て、露光により前記被写体を撮像することに至るまでの広義の意味を有する。
【００２４】
手ぶれ防止装置１では、制御回路１０は、例えば、ＣＰＵからなり、ＲＯＭ及びＲＡＭ等からなる記憶回路２０に記憶されたプログラム（図示せず。）に従って、撮像機器ＤＣの全体的な動作を制御し、また、その全体的な動作を監視する。制御回路１０は、更に、後述されるような、サンプリング回路５０により抽出された手ぶれ量ｔｂ２（１）、ｔｂ２（２）、．．．に基づき、記憶回路２０に記憶されているテーブルＴ（図４に図示。）を参照することにより、シャッターＳの速度を決定する。
【００２５】
記憶回路２０は、上記したような、制御回路１０が実行するプログラムを記憶しており、加えて、上記したテーブルＴを記憶している。テーブルＴは、図４に示されるように、手ぶれ量ｔｂとシャッターＳの速度との対応関係を規定しており、例えば、手ぶれ量ｔｂが「１０」であるとき、シャッターＳの速度を「ＳＶ１」にすべきであり、また、手ぶれ量ｔｂが「１５」であるとき、シャッターＳの速度を「ＳＶ２」にすべきである旨を規定している。
【００２６】
手ぶれ検出回路３０は、例えば、２軸ジャイロセンサ又は３軸ジャイロセンサであり、撮像機器ＤＣのユーザが、当該撮像機器ＤＣを手に持って撮像するときに生じる手ぶれ量ｔｂを表す手ぶれ量信号Ｓｔｂを検出する。
【００２７】
プレサンプリング回路４０は、サンプリング回路５０によるサンプリングに先立ち、図５に示されるように、半押しＨ後における、前記サンプリングを行うサンプリング期間Ｔ２より短い、プレサンプリングを行うべきプレサンプリング期間Ｔ１に、前記手ぶれ量ｔｂを表す手ぶれ量信号Ｓｔｂから前記手ぶれ量ｔｂ１（１）、ｔｂ１（２）、．．．を抽出することを企図する。当該企図のために、前記手ぶれ量信号Ｓｔｂのプレサンプリングを、予め定められた周波数（例えば、経験則的に概ね１０Ｈｚであることが多い手ぶれ量信号Ｓｔｂの周波数Ｆｔｂをプレサンプリングするのに充分に大きいと認められる周波数である「１０００Ｈｚ」）であるプレサンプリング周波数Ｆｐｓで行う。これにより、プレサンプリング回路４０は、前記手ぶれ量信号Ｓｔｂの周波数Ｆｔｂを予測する。
【００２８】
サンプリング回路５０は、プレサンプリング回路４０により予測された前記手ぶれ量信号Ｓｔｂの周波数Ｆｔｂに基づき、サンプリングのためのサンプリング周波数Ｆｓを決定し（例えば、「２００Ｈｚ」に決定し）、当該サンプリング周波数Ｆｓで前記手ぶれ量信号Ｓｔｂをサンプリングすることにより、当該手ぶれ量信号Ｓｔｂから前記手ぶれ量ｔｂ２（１）、ｔｂ２（２）、．．．を抽出する。
【００２９】
撮像装置２は、撮像の機能を有し、具体的には、手ぶれ防止装置１内の制御回路１０が決定したシャッターＳの速度（例えば、「ＳＶ３」（図４に図示。））に従って、被写体を撮影する。
【００３０】
〈動作〉
実施例の撮像機器ＤＣの動作について図３を参照して説明する。
【００３１】
ステップＳ１：ユーザが、被写体を撮影すべく、その準備として、図５に示されるように、レリーズＲの操作（半押しＨ）を行う。
【００３２】
ステップＳ２：前記半押しＨがされると、手ぶれ防止装置１内で、プレサンプリング回路４０は、プレサンプリング期間Ｔ１で、手ぶれ検出回路３０が検出する手ぶれ量信号Ｓｔｂを前記プレサンプリング周波数Ｆｐｓ「１０００Ｈｚ」でプレサンプリングすることにより、手ぶれ量ｔｂ１（１）、ｔｂ１（２）、．．．を抽出する。これにより、プレサンプリング回路４０は、当該抽出された手ぶれ量ｔｂ１（１）、ｔｂ１（２）、．．．に基づき、手ぶれ量信号Ｓｔｂの周波数Ｆｔｂを予測し、例えば、手ぶれ量信号Ｓｔｂの周波数Ｆｔｂが「２０Ｈｚ」であると予測する。
【００３３】
ステップＳ３：ユーザは、実際に被写体を撮影すべく、シャッターＳを操作し、即ち、全押しＡを行う。
【００３４】
ステップＳ４：前記全押しＡがされると、サンプリング回路５０は、当該全押しＡに引き続く所定期間であるサンプリング期間Ｔ２で、プレサンプリング回路４０により周波数Ｆｔｂが「２０Ｈｚ」であると予測された手ぶれ量信号Ｓｔｂを、経験則に基づき定められる周波数、例えば、当該「２０Ｈｚ」であろう手ぶれ量信号Ｓｔｂをサンプリングするのに十分に大きいと認められるサンプリング周波数Ｆｓ「２００Ｈｚ」により、サンプリングを行う。これにより、サンプリング回路５０は、手ぶれ量ｔｂ２（１）、ｔｂ２（２）、．．．の変化から、手ぶれ量信号Ｓｔｂの周波数Ｆｔｂを予測し、例えば、手ぶれ量信号Ｓｔｂの周波数Ｆｔｂが「１５Ｈｚ」であると予測する。換言すれば、サンプリング回路５０は、後述の露光期間Ｔ４における手ぶれ量信号Ｓｔｂの周波数もまた、「１５Ｈｚ」であろうと予測する。
【００３５】
ステップＳ５：制御回路１０は、前記サンプリング期間Ｔ２に引き続く所定期間Ｔ３で、手ぶれ量信号Ｓｔｂの周波数Ｆｔｂ「１５Ｈｚ」に基づき、記憶回路２０に記憶されているテーブルＴを参照することにより、シャッターＳの速度を「ＳＶ２」に決定する。
【００３６】
ステップＳ６：前記手ぶれ防止装置１内の制御回路１０によりシャッターＳの速度が「ＳＶ２」に決定されると、撮像装置２は、前記期間Ｔ３に引き続く露光期間Ｔ４で、当該速度「ＳＶ２」でシャッターＳを開閉させることにより露光を行い、これにより、前記被写体の撮影が完了する。
【００３７】
〈効果〉
上述したように、実施例の撮像機器ＤＣでは、サンプリング回路５０による手ぶれ量信号Ｓｔｂのサンプリングに先立ち、プレサンプリング回路４０が、当該手ぶれ量信号Ｓｔｂをプレサンプリング周波数Ｆｐｓ「１０００Ｈｚ」でプレサンプリングすることにより、手ぶれ量信号Ｓｔｂの周波数Ｆｔｂが「２０Ｈｚ」であろうと予測し、サンプリング回路５０が、その周波数Ｆｔｂが「２０Ｈｚ」であろうと予測された手ぶれ量信号Ｓｔｂをサンプリング周波数Ｆｓ「２００Ｈｚ」でサンプリングを行う。これにより、手ぶれ量ｔｂをサンプリングするときのサンプリング周波数Ｆｓを精度高く決定できることから、従来と異なり、手ぶれ量ｔｂが大きいユーザであるか手ぶれ量ｔｂが少ないユーザであるかに拘わらず、手ぶれ量ｔｂ２（１）、ｔｂ２（２）、．．．を精度高く、即ち、手ぶれ量信号Ｓｔｂの再現性高く、抽出することができ、その結果、当該手ぶれ量ｔｂ２（１）、ｔｂ２（２）、．．．に基づきシャッターＳの速度を的確に決定することが可能となる。
【００３８】
上記した効果に加えて、実施例の撮像機器ＤＣでは、プレサンプリング回路４０が行うプレサンプリング周波数Ｆｐｓが、サンプリング回路５０が行うサンプリング周波数Ｆｓより高いものの、前記プレサンプリング期間Ｔ１が、前記サンプリング期間Ｔ２より短いことから、消費電力の増大を抑制することが可能となる。
【００３９】
《変形例１》
変形例１の撮像機器ＤＣは、基本的に、上記した実施例の撮像機器ＤＣの構成及び機能を有し、他方で、実施例の撮像機器ＤＣと異なり、変形例１のプレサンプリング回路４０は、図６に示されるように、今回（Ｎ２）の撮像におけるプレサンプリング周波数Ｆｐｓ２として、前回（Ｎ１）の撮像におけるプレサンプリング周波数Ｆｐｓ１を用いる。一般に、前回（Ｎ１）撮像を行ったユーザと、今回（Ｎ２）撮像を行うユーザとは同一である。従って、前回（Ｎ１）のときにプレサンプリング周波数Ｆｐｓ１でプレサンプリングを行い、前回（Ｎ１）のサンプリング周波数Ｆｓを精度高く決定することができたのであれば、今回（Ｎ２）の撮像で、前回（Ｎ１）のプレサンプリング周波数Ｆｐｓ１でプレサンプリングを行うことによっても、今回（Ｎ２）のサンプリング周波数Ｆｓを精度高く決定することが可能となる。
【００４０】
《変形例２》
変形例２の撮像機器ＤＣは、基本的に、上記した実施例の撮像機器ＤＣと同様な構成及び機能を有し、他方で、実施例の撮像機器ＤＣと異なり、変形例２の撮像機器ＤＣでは、プレサンプリング回路４０は、プレサンプリング期間Ｔ１で、プレサンプリング周波数Ｆｐｓとして、複数のプレサンプリング周波数の候補、例えば、「１００Ｈｚ」、「３００Ｈｚ」、「１０００Ｈｚ」（図７に図示。）を昇順に、即ち、小さいものから大きいものへ増えて行く順序で、次々に変更する。
【００４１】
より詳しくは、まず、プレサンプリング周波数Ｆｐｓ「１００Ｈｚ」でのプレサンプリングを行い、その結果に従ってサンプリング周波数Ｆｓを決定することが可能であれば、それ以後、プレサンプリングを行わない。
【００４２】
他方で、プレサンプリング周波数Ｆｐｓ「１００Ｈｚ」によるプレサンプリングではサンプリング周波数Ｆｓを決定することが不可能であれば、「１００Ｈｚ」に代えて、プレサンプリング周波数Ｆｐｓ「３００Ｈｚ」で再度プレサンプリングを行い、その結果に基づきサンプリング周波数Ｆｓ決定することが可能であれば、それ以後、プレサンプリングを行わない。
【００４３】
更に、もし、プレサンプリング周波数Ｆｐｓ「３００Ｈｚ」によるプレサンプリングではサンプリング周波数Ｆｓを決定することが不可能であれば、「３００Ｈｚ」に代えて、プレサンプリング周波数Ｆｐｓ「１０００Ｈｚ」で再々度プレサンプリングを行う。
【００４４】
上記したように、プレサンプリング周波数Ｆｐｓを昇順で大きくしつつ、サンプリング周波数Ｆｓを決定できるに至った時点でプレサンプリングを中止することにより、後続であればあるほど大きいというプレサンプリング周波数Ｆｐｓによるプレサンプリングを早期に終了することができ、これにより、無駄な電力を消費するという事態を回避することが可能となる。
【００４５】
《変形例３》
変形例３の撮像機器ＤＣは、基本的に、上記した実施例の撮像機器ＤＣと同様な構成及び機能を有するものの、プレサンプリング回路４０が、プレサンプリングを、レリーズの操作の後、即ち、半押しＨの後に行う実施例の撮像機器ＤＣと異なり、プレサンプリング回路４０は、プレサンプリングを、シャッターＳの操作の後、即ち、全押しＡの後に行う。このような動作によっても、上記した実施例の撮像機器ＤＣと同様な効果を得ることができる。
【図面の簡単な説明】
【００４６】
【図１】実施例の撮像機器の外部構成を示す図。
【図２】実施例の撮像機器の内部構成を示す図。
【図３】実施例の撮像機器の動作を示すフローチャート。
【図４】実施例のテーブルを示す図。
【図５】実施例の撮像機器の動作を示すタイムチャート。
【図６】変形例１の撮像機器の動作を示すタイムチャート。
【図７】変形例２の撮像機器の動作を示すタイムチャート。
【図８】従来の撮像機器の動作を示すタイムチャート。
【符号の説明】
【００４７】
ＤＣ…撮像機器、１…手ぶれ防止装置、２…撮像装置、１０…制御回路、２０…記憶回路、３０…手ぶれ検出回路、４０…プレサンプリング回路、５０…サンプリング回路。
【図１】
2009003216.tif 000003
【図２】
2009003216.tif 000004
【図３】
2009003216.tif 000005
【図４】
2009003216.tif 000006
【図５】
2009003216.tif 000007
【図６】
2009003216.tif 000008
【図７】
2009003216.tif 000009
【図８】
2009003216.tif 000010